(57)【要約】【課題】帳票分離前の状態の各分離片に対して、複写構造を用いずに印字可能な連続帳票を提供する。【解決手段】単位帳票が用紙搬送方向に切り離し可能に複数連接されてなる連続帳票において、単位帳票は少なくとも感圧複写部を有するプリンター印字可能な帳票であって、複写部は少なくとも第一基材と第二基材とが積層されてなり、第一基材は第一印刷領域と第二印刷領域に少なくとも区分され、第一印刷領域に対応する第一基材と第二基材の間には感圧複写構造が設けられ、第二印刷領域に対応する第一基材は接着剤層を介して第二基材と接着され、第一基材には、第一印刷領域と第二印刷領域との間に切取り部が設けられている。【選択図】図１
2015051625.tif 000002
【特許請求の範囲】
【請求項１】
単位帳票が用紙搬送方向に切り離し可能に複数連接されてなる連続帳票において、
前記単位帳票は少なくとも感圧複写部を有するプリンター印字可能な帳票であって、
前記感圧複写部は少なくとも第一基材と第二基材とが積層されてなり、
前記第一基材は第一印刷領域と第二印刷領域に少なくとも区分され、
前記第一印刷領域に対応する前記第一基材と前記第二基材の間には感圧複写構造が設けられ、
前記第二印刷領域に対応する第一基材は接着剤層を介して前記第二基材と接着され、
前記第一基材には、前記第一印刷領域と前記第二印刷領域との間に用紙搬送方向に沿って切断線が設けられていること
を特徴とする連続帳票。
【請求項２】
単位帳票が用紙搬送方向に切り離し可能に複数連接されてなる連続帳票において、
前記単位帳票は少なくとも感圧複写部を有するプリンター印字可能な帳票であって、
前記感圧複写部は少なくとも第一基材と第二基材と第三基材が積層されてなり、
前記第一基材は第一印刷領域と第二印刷領域と第三印刷領域に少なくとも区分され、
前記第一印刷領域に対応する前記第一基材と前記第二基材の間ならびに前記第二基材と前記第三基材の間には感圧複写構造が設けられ、
第二印刷領域と第三印刷領域に対応する前記第一基材は接着剤層を介して前記第二基材と接着され、
前記第三印刷領域に対応する前記第二基材は接着剤層を介して前記第三基材と接着され、
前記第一基材には、前記第一印刷領域と前記第二印刷領域との間、ならびに第二印刷領域と第三印刷領域との間に用紙搬送方向に沿って切断線が設けられ、
前記第二基材には、前記第二印刷領域と前記第三印刷領域との間に用紙搬送方向に沿って切断線が設けられていること
を特徴とする連続帳票。
【請求項３】
請求項１に記載の連続帳票において、
前記第一基材と前記第二基材の間に形成された接着剤層は、前記用紙搬送方向に沿って線状または点線状に形成された線状糊であって、
前記線状糊は所定間隔の領域を空けて二本形成され、前記所定間隔の領域に対応する前記第一基材表面の領域を前記第二印刷領域としたこと
を特徴とする連続帳票。
【請求項４】
請求項２に記載の連続帳票において、
前記第一基材と前記第二基材の間に形成された接着剤層ならびに前記第二基材と前記第三基材の間に形成された接着剤層は、前記用紙搬送方向に沿って線状または点線状に形成された線状糊であって、
前記線状糊は所定間隔の領域を空けて各領域毎に二本形成され、
前記所定間隔の領域に対応する前記第一基材表面の各領域を前記第二印刷領域ならびに前記第三印刷領域としたこと
を特徴とする連続帳票。
【請求項５】
請求項１又は請求項３に記載の連続帳票において、
前記感圧複写構造は、
発色剤と顕色剤との化学反応により発色する方式であって、
前記第一基材と前記第二基材の対向面のうち、前記第一基材側に発色剤層が設けられ、前記第二基材側に顕色剤層が設けられていること
を特徴とする連続帳票。
【請求項６】
請求項２又は請求項４に記載の連続帳票において、
前記感圧複写構造は、
発色剤と顕色剤との化学反応により発色する方式であって、
前記第一基材と前記第二基材の対向面のうち、前記第一基材側に発色剤層が設けられ、
前記第二基材側に顕色剤層が設けられ、
さらに前記第二基材と前記第三基材の対向面のうち、前記第二基材側に発色剤層が設けられ、
前記第三基材側に顕色剤層が設けられていること
を特徴とする連続帳票。
【請求項７】
請求項１又は請求項３に記載の連続帳票において、
前記感圧複写構造は、
発色剤と顕色剤との化学反応により発色する方式であって、
前記第一基材と前記第二基材の対向面のうち、前記第二基材側にセルフ発色方式の感圧発色層が設けられていること
を特徴とする連続帳票。
【請求項８】
請求項２又は請求項４に記載の連続帳票において、
前記感圧複写構造は、
発色剤と顕色剤との化学反応により発色する方式であって、
前記第一基材と前記第二基材の対向面のうち、前記第二基材側にセルフ発色方式の感圧発色層が設けられ、
さらに前記第二基材と前記第三基材の対向面のうち、前記第三基材側にセルフ発色方式の感圧発色層が設けられていること
を特徴とする連続帳票。
【請求項９】
単位帳票が搬送方向に複数連続した連続帳票において、
前記単位帳票は、
第一片と、前記第一片に第一切断線で分離可能に接続された第二片とを備える第一基材と、
前記第一基材に積層され、前記第一基材の前記第二片に第一接着剤層により強接着され、前記前記第一基材との間に感圧複写構造が設けられた第二基材と、
前記第一片に設けられた第一印刷領域と、
前記第二片に設けられた第二印刷領域とを備え、
前記第一基材の前記第一片を含む第一分離片と、前記第一基材の前記第二片及び前記第二基材が前記第一接着剤層によって一体となった第二分離片とが、前記第一切断線を切断することによって分離可能であること、
を特徴とする連続帳票。
【請求項１０】
請求項９に記載の連続帳票において、
前記第一基材は、
前記第二片の前記第一片とは反対側に第二切断線で分離可能に接続された第三片と、
前記第三片に設けられた第三印刷領域とを備え、
前記第二基材は、
前記第一基材の前記第二片に対して前記第一接着剤層によって強接着された第二片接着片と、
前記第二片接着片に第三切断線で分離可能に接続され、前記第一基材の前記第三片に対応した位置に配置され、前記第三片に対して第二接着剤層によって強接着された第三片接着片とを備え、
前記第二基材に積層され、前記第二基材との間に感圧複写構造が設けられ、前記第二基材の前記第三片接着片に対して第三接着剤層によって強接着された第三基材と、
前記第一基材の前記第三片と前記第二基材の前記第三片接着片と前記第三基材とが、前記第二接着剤層と前記第三接着剤層とによって一体になった第三分離片が、前記第二切断線と前記第三切断線とを切断することによって分離可能であること、
を特徴とする連続帳票。
【請求項１１】
請求項９又は請求項１０に記載の連続帳票において、
前記各印刷領域には、互いに対応付けられた印刷がされていること、
を特徴とする連続帳票。
【発明の詳細な説明】
【技術分野】
【０００１】
本発明は、複写構造を有する連続帳票に関するものである。
【背景技術】
【０００２】
感圧複写式帳票の各枚目の用紙に関連付け用の固有情報を付与することで各枚目の用紙を関連付けることが行われている。前記固有情報を付与する手段としては、あらかじめ各枚目となる用紙に固有情報をプリンターで印字しておき、その後、丁合装置を用いて前記各枚目となる用紙を丁合する手段がある。
【０００３】
他の手段としては、初めに何らの固有情報も形成されていない各枚目の用紙を丁合装置を用いて丁合した感圧複写式帳票を製造しておく。
次にインパクトプリンターを用いて前記感圧複写式帳票の所定領域に所定の固有情報を印字する。これにより、前記感圧複写式帳票の各枚目となる用紙の所定領域に固有情報が形成され、各用紙を関連付けることができる。（例えば特許文献１参照）
特許文献１に記載のものは、丁合装置によって丁合した後にインパクトプリンターを用いて関連付け用の固有情報を印字するため感圧複写式帳票の各枚目に付与される固有情報にミスマッチが生ずることがない。
【０００４】
しかしながら、感圧複写式帳票を構成する感圧複写構造は、わずかな圧力により発色を呈するため、前記固有情報を付与するためにインパクトプリンターで印字した際にインパクトプリンターの印字機構からの振動の影響が帳票に伝わり、感圧複写構造の一部が反応して不要な発色を呈する。このため、従来の感圧複写式帳票は、商品としての価値が低下してしまう場合があるという問題があった。
【先行技術文献】
【特許文献】
【０００５】
【特許文献１】特許第３８７４４７２号公報
【発明の概要】
【発明が解決しようとする課題】
【０００６】
本発明の課題は、帳票分離前の状態の各分離片に対して、複写構造を用いずに印字可能な連続帳票を提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００８】
・第１の発明は、単位帳票が用紙搬送方向（Ｐ）に切り離し可能に複数連接されてなる連続帳票において、前記単位帳票は少なくとも感圧複写部を有するプリンター印字可能な帳票であって、前記複写部は少なくとも第一基材（１７）と第二基材（１８）が積層されてなり、前記第一基材（１７）は第一印刷領域（Ｐ１）と第二印刷領域（Ｐ２）に少なくとも区分され、前記第一印刷領域（Ｐ１）に対応する前記第一基材（１７）と前記第二基材（１８）の間には感圧複写構造（３２）が設けられ、前記第二印刷領域（Ｐ２）に対応する第一基材（１７）は接着剤層（１０）を介して前記第二基材（１８）と接着され、前記第一基材（１７）には、前記第一印刷領域（Ｐ１）と前記第二印刷領域（Ｐ２）との間に用紙搬送方向（Ｐ）に沿って切断線（Ｓ）が設けられていることを特徴とする連続帳票。
・第２の発明は、単位帳票が用紙搬送方向（Ｐ）に切り離し可能に複数連接されてなる連続帳票において、前記単位帳票は少なくとも感圧複写部を有するプリンター印字可能な帳票であって、前記複写部は少なくとも第一基材（１７）と第二基材（１８）と第三基材（１９）が積層されてなり、前記第一基材（１７）は第一印刷領域（Ｐ１）と第二印刷領域（Ｐ２）と第三印刷領域（Ｐ３）に少なくとも区分され、前記第一印刷領域（Ｐ１）に対応する前記第一基材（１７）と前記第二基材（１８）の間ならびに前記第二基材（１８）と前記第三基材（１９）の間には感圧複写構造（３２−１、３２−２）が設けられ、前記第二印刷領域（Ｐ２）と前記第三印刷領域（Ｐ３）に対応する前記第一基材（１７）は接着剤層（１０−１）を介して前記第二基材（１８）と接着され、前記第三印刷領域（Ｐ３）に対応する前記第二基材（１８）は接着剤層（１０−２）を介して前記第三基材（１９）と接着され、前記第一基材（１７）には、第二印刷領域（Ｐ２）と第一印刷領域（Ｐ１）との間ならびに前記第二印刷領域（Ｐ２）と前記第三印刷領域（Ｐ３）との間に用紙搬送方向（Ｐ）に沿って切断線（Ｓ）が設けられ、前記第二基材（１８）には、前記第二印刷領域（Ｐ２）と前記第三印刷領域（Ｐ３）との間に用紙搬送方向（Ｐ）に沿って切断線（Ｓ）が設けられていることを特徴とする連続帳票。
・第３の発明は、第１の発明において、前記第一基材（１７）と前記第二基材（１８）の間に形成された接着剤層（１０）は、前記用紙搬送方向（Ｐ）に沿って線状または点線状に形成された線状糊であって、前記線状糊は所定間隔の領域を空けて二本形成され、前記所定間隔の領域に対応する前記第一基材（１７）表面の領域を前記第二印刷領域（Ｐ２）としたことを特徴とする連続帳票。
・第４の発明は、第２の発明において、前記第一基材（１７）と前記第二基材（１８）の間に形成された接着剤層（１０−１）ならびに前記第二基材（１８）と前記第三基材（１９）の間に形成された接着剤層（１０−２）は、前記用紙搬送方向（Ｐ）に沿って線状または点線状に形成された線状糊であって、前記線状糊は所定間隔の領域を空けて各領域毎に二本形成され、前記所定間隔の領域に対応する前記第一基材（１７）表面の各領域を前記第二印刷領域（Ｐ２）ならびに前記第三印刷領域（Ｐ３）としたことを特徴とする連続帳票。
・第５の発明は、第１または第３の発明において、前記感圧複写構造（３２）は、発色剤と顕色剤との化学反応により発色する方式であって、前記第一基材（１７）と前記第二基材（１８）の対向面のうち、前記第一基材（１７）側に発色剤層が設けられ、前記第二基材（１８）側に顕色剤層が設けられていることを特徴とする連続帳票。
・第６の発明は、第２または第４の発明において、前記感圧複写構造（３２−１、３２−２）は、発色剤と顕色剤との化学反応により発色する方式であって、前記第一基材（１７）と前記第二基材（１８）の対向面のうち、前記第一基材（１７）側に発色剤層が設けられ、前記第二基材（１８）側に顕色剤層が設けられ、さらに前記第二基材（１８）と前記第三基材（１９）の対向面のうち、前記第二基材（１８）側に発色剤層が設けられ、前記第三基材（１９）側に顕色剤層が設けられていることを特徴とする連続帳票。
・第７の発明は、第１または第３の発明において、前記感圧複写構造（３２）は、発色剤と顕色剤との化学反応により発色する方式であって、前記第一基材（１７）と前記第二基材（１８）の対向面のうち、前記第二基材（１８）側にセルフ発色方式の感圧発色層が設けられていることを特徴とする連続帳票。
・第８の発明は、第２または第４の発明において、前記感圧複写構造（３２）は、発色剤と顕色剤との化学反応により発色する方式であって、前記第一基材（１７）と前記第二基材（１８）の対向面のうち、前記第二基材（１８）側にセルフ発色方式の感圧発色層が設けられ、さらに前記第二基材（１８）と前記第三基材（１９）の対向面のうち、前記第三基材（１９）側にセルフ発色方式の感圧発色層が設けられていることを特徴とする連続帳票。
【０００９】
同様に、本発明は、以下のような解決手段により、前記課題を解決する。なお、理解を容易にするために、第２から第４実施形態に対応する符号を付して説明するが、これに限定されるものではない。また、符号を付して説明した構成は、適宜改良してもよく、また、少なくとも一部を他の構成物に代替してもよい。
【００１０】
・第９の発明は  単位帳票が搬送方向に複数連続した連続帳票において、前記単位帳票（２０１，３０１，４０１）は、第一片（２１１，４１１）と、前記第一片に第一切断線で分離可能に接続された第二片（２１２，４１２）とを備える第一基材（２１０，３１０，４１０）と、前記第一基材に積層され、前記第一基材の前記第二片に第一接着剤層（Ｂ２０１）により強接着され、前記前記第一基材との間に感圧複写構造が設けられた第二基材（２２０，３２０）と、前記第一片に設けられた第一印刷領域（Ｐ２０１，Ｐ４０１−１〜Ｐ４０１−３）と、前記第二片に設けられた第二印刷領域（Ｐ２０２，Ｐ４０２−１〜Ｐ４０２−３）とを備え、前記第一基材の前記第一片を含む第一分離片（２４１）と、前記第一基材の前記第二片及び前記第二基材が前記第一接着剤層によって一体となった第二分離片（２４２）とが、前記第一切断線を切断することによって分離可能であること、を特徴とする連続帳票である。
・第１０の発明は、第９の発明の連続帳票において、前記第一基材（２１０，４１０）は、前記第二片（２１２，４１２）の前記第一片（２１１，４１１）とは反対側に第二切断線（Ｓ２０２，Ｓ４０２）で分離可能に接続された第三片（２１３，４１３）と、前記第三片に設けられた第三印刷領域（Ｐ２０３，Ｐ４０３−１〜Ｐ４０３−３）とを備え、前記第二基材（２２０）は、前記第一基材の前記第二片に対して前記第一接着剤層（Ｂ２０１）によって強接着された第二片接着片（２２２）と、前記第二片接着片に第三切断線（Ｓ２０３，Ｓ４０３）で分離可能に接続され、前記第一基材の前記第三片に対応した位置に配置され、前記第三片に対して第二接着剤層（Ｂ２０２）によって強接着された第三片接着片（２２３）とを備え、前記第二基材に積層され、前記第二基材との間に感圧複写構造が設けられ、前記第二基材の前記第三片接着片に対して第三接着剤層（Ｂ２０３）によって強接着された第三基材（２３０）と、前記第一基材の前記第三片と前記第二基材の前記第三片接着片と前記第三基材とが、前記第二接着剤層と前記第三接着剤層とによって一体になった第三分離片（２４３）が、前記第二切断線と前記第三切断線とを切断することによって分離可能であること、を特徴とする連続帳票である。
・第１１の発明は、第９又は第１０の発明の連続帳票において、前記各印刷領域に（Ｐ２０１，Ｐ４０１−１〜Ｐ４０１−３、Ｐ２０２，Ｐ４０２−１〜Ｐ４０２−３、Ｐ２０３，Ｐ４０３−１〜Ｐ４０３−３）は、互いに対応付けられた印刷がされていること、を特徴とする連続帳票である。
【発明の効果】
【００１１】
本発明によれば、帳票分離前の状態の各分離片に対して、複写構造を用いずに印字可能な連続帳票を提供することができる。
【図面の簡単な説明】
【００１２】
【図１】第１実施形態に係わる連続帳票の一例である。
【図２】第１実施形態に係わる連続帳票の別の一例である。
【図３】第１実施形態に係わる感圧複写構造の一例である。
【図４】第２実施形態の帳票２０１を示す図である。
【図５】第２実施形態の帳票２０１を分離した状態を示す断面図である。
【図６】第２実施形態の帳票２０１の使用方法を説明する図である。
【図７】第２実施形態の帳票２０１の使用方法を説明する図である。
【図８】第２実施形態の帳票２０１の使用方法を説明する図である。
【図９】第３実施形態の帳票３０１の断面図である。
【図１０】第４実施形態の帳票４０１を上面から見た図である。
【発明を実施するための形態】
【００１３】
次に、本発明の実施形態について、図面を参照して詳述する。
【００１４】
（第１実施形態）
図１は、第１実施形態に係わる連続帳票の一例である。
図１において、１１の×は印字、Ｐ１は第一印刷領域、Ｐ２は第二印刷領域、１６はスプロケットホール、Ａ−Ａ線は断面線、Ｐは用紙搬送方向、Ｓは切取り部（切断線）である。
図１−１では、連続帳票の用紙搬送方向Ｐに連接された単位帳票を図示したものであり、用紙搬送方向Ｐに沿って切取り部Ｓが設けられている。具体的には、切取り部Ｓは第一印刷領域Ｐ１と第二印刷領域Ｐ２との境目となる部分に設けられている。さらにスプロケットホール１６が形成された帳票端のそれぞれの領域と第一印刷領域Ｐ１ならびに第二印刷領域Ｐ２との境目となる部分にも切取り部Ｓが設けられている。前記切取り部Ｓは通常は切取りミシン目であるが、ミシン目に限定されるものではなく、断裁予定線、筋押し線あるいはハーフカットでもよい。図では破線で示してある。第一印刷領域Ｐ１、第二印刷領域Ｐ２の印字１１は、ノンインパクトプリンターを用いて高速で印字処理を行ったものである。
【００１５】
第一印刷領域Ｐ１ならびに第二印刷領域Ｐ２にノンインパクトプリンターによる印字１１として付与されたそれぞれの固有情報は互いに関連付けられた情報として管理されたものである。
【００１６】
図１−２は、図１−１のＡ−Ａ線断面図の一例である。図１−２において、１０は接着剤層、１１は印字、１７は第一基材、１８は第二基材、３２は感圧複写構造である。
図１−２では、第二印刷領域Ｐ２に対応する第一基材１７が接着剤層１０を介して第二基材１８と接着されており、接着剤層１０は用紙搬送方向Ｐに沿って所定間隔の領域を空けて線状又は点線状に２本形成された線状糊である。所定間隔とは、第二印刷領域Ｐ２の範囲内中の有効印字領域に相当する間隔という意味である。接着剤層１０としては、水系、溶剤系、ワックス系、ホットメルト、ＵＶ系、圧着糊等、種類を選ばない。水系の糊の例としては、日栄加工製「ＡＶ−７８０」、「Ｐ−８００ＬＣ」等が挙げられる。また、接着剤層１０の形態は、ライン糊、スポット糊、パターン糊等のいずれでもよい。
【００１７】
図２で、図２−１は第１実施形態に係わる連続帳票の別の一例である。図１に示した連続帳票は第一基材１７と第二基材１８の二層構成である。これに対して図２に示した連続帳票はさらに第三基材１９を備えた三層構成のものである。このように図２に示した連続帳票は第一基材１７、第二基材１８、第三基材１９からなるそれぞれの基材を固有情報によって互いに関連付けるために最表面となる第一基材１７の表面に三つ印刷領域を設けた。図において、Ｐ１は第一印刷領域、Ｐ２は第二印刷領域、Ｐ３は第三印刷領域、１０−１は接着剤層、１０−２は接着剤層、３２−１は第一の感圧複写構造、３２−２は第二の感圧複写構造である。
【００１８】
第一印刷領域Ｐ１に印字されている固有情報と関連付けられた固有情報が第三印刷領域Ｐ３ならびに第二印刷領域Ｐ２に印字され、かつ前記第一印刷領域Ｐ１、前記第二印刷領域Ｐ２、前記第三印刷領域Ｐ３のそれぞれの境目には用紙搬送方向Ｐに沿って切取り部Ｓで切取り可能に形成されている。第一印刷領域Ｐ１と第二印刷領域Ｐ２の間の切取り部Ｓは第一基材１７のみ分離可能となる深さに形成すればよい。前記第二印刷領域Ｐ２と第三印刷領域Ｐ３の間の切取り部Ｓは第一基材１７と第二基材１８の両方が分離可能となる深さに形成すればよい。さらにスプロケットホール１６が形成された帳票端のそれぞれの領域と第一印刷領域Ｐ１ならびに第三印刷領域Ｐ３との境目となる部分にも切取り部Ｓが設けられている。この部分の切取り部Ｓは第一基材１７、第二基材１８、第三基材１９の全てを分離するためのものである。第一基材１７と第二基材１８との間には、第一の感圧複写構造３２−１が形成されている。さらに第二印刷領域Ｐ２と第三印刷領域Ｐ３に対応する第一基材１７と第二基材１８との間に接着剤層１０−１が形成されている。
【００１９】
第二基材１８と第三基材１９との間には第二の感圧複写構造３２−２が形成されている。さらに、第三印刷領域Ｐ３に対応する第二基材１８と第三基材１９との間には接着剤層１０−２が形成されている。
【００２０】
図２−２は、図２−１のＢ−Ｂ線断面図の一例である。第一〜第三印刷領域に対応する第一基材１７の表面にノンインパクトプリンターによって印字１１として形成された固有情報のそれぞれは、互いに関連付けられた情報として管理されたものである。
【００２１】
図１、図２において、ノンインパクトプリンターによって第一基材１７の表面に印字処理された印字１１は、ノンインパクトプリンターであるため印圧が第二基材１８と第三基材１９にはかからず、発色等の製品劣化に及ぼすような影響は皆無となる。第一基材１７と第二基材１８と第三基材１９は、クラフト紙、上質紙、複写用紙、グラシン紙、パーチメント紙、レーヨン紙、コート紙、合成紙、樹脂フィルムによりラミネートされた紙等の紙が好適に用いられるが、セロファン、延伸ポリプロピレン、ポリエチレンテレフタレート、延伸ポリスチレン、ポリ塩化ビニル等の樹脂フィルムであってもよい。第一基材１７と第二基材１８と第三基材１９の厚さは、通常は、２０μｍ〜２００μｍ程度が好ましい。
【００２２】
図３は、感圧複写構造の一例である。すなわち第１実施形態に係わる連続帳票における感圧複写部の断面図の一例である。図３において３０は印字、３１は第一基材、３２は感圧複写構造、３３は第二基材である。
【００２３】
感圧複写部は、第一印刷領域Ｐ１に対応する第一基材１７と第二基材１８と第三基材１９とがそれぞれ感圧複写構造３２を介して積層されている部分である。感圧複写構造３２として例えば、加圧印字による発色剤３２ａと顕色剤３２ｂとの化学反応により発色する方式がある。この方式は第一基材１７側に発色剤３２ａが設けられ、第二基材１８側に顕色剤３２ｂが設けられている。前記発色剤３２ａは、染料を有するマイクロカプセルが第一基材１７側に有するもので、前記マイクロカプセルは、無色の染料を不揮発性のオイルに溶解し、高分子被膜で包囲した直径数ミクロンの大きさの微粒子である。前記マイクロカプセルは印字圧によって容易に破壊されて中の無色染料が流出し、顕色剤３２ｂと接触して化学反応を起こし、瞬時に発色する。
【００２４】
図１−２では、第二基材１８側に顕色剤３２ｂと発色剤３２ａの層構成を有するセルフ発色方式（単体発色方式、複合発色方式）の感圧発色層を設けることも可能である。
【００２５】
以上のような感圧複写構造３２は、再生利用が可能な環境汚染の少ない材料、例えばＰＣＢ（ｐｏｌｙｃｈｌｏｒｏｂｉｐｈｅｎｙｌ）や重金属類、有機塩素化合物などの有害物質を含有していないためクリーンな材料である。
【００２６】
以下、具体的な実施例について説明する。
【００２７】
（実施例１）
図１に示した第一基材１７と第二基材１８からなる２層構成の連続帳票の第一の製造工程の例を以下に示した。
第一基材１７に絵柄（固有情報）を印刷する工程及び切取り部Ｓを形成する工程。
第二基材１８に絵柄（固有情報）を印刷する工程。
第二基材１８に接着剤層１０として第二印刷領域Ｐ２に対応する領域の全体にベタパターンを形成する工程。第一基材１７と第二基材１８を丁合する丁合工程。第一印刷領域Ｐ１、第二印刷領域Ｐ２に同時に固有情報を含む可変情報を印字する印字工程。
検査、梱包工程。
【００２８】
（実施例２）
図１に示した第一基材１７と第二基材１８からなる２層構成の連続帳票の第二の製造工程の例を以下に示した。
第一基材１７に絵柄（固有情報）を印刷する工程及び切取り部Ｓを形成する工程。
第二基材１８に絵柄（固有情報）を印刷する工程。
第二基材１８に接着剤層１０として用紙搬送方向Ｐに沿って二本の線状糊を第二印刷領域Ｐ２に対応する領域の両端にライングリュー方式で形成する工程。第一基材１７と第二基材１８を丁合する丁合工程。第一印刷領域Ｐ１、第二印刷領域Ｐ２に同時に固有情報を含む可変情報を前記接着剤層１０の形成されていない領域に印字する印字工程。
検査、梱包工程。
【００２９】
（実施例３）
図２に示した第一基材１７と第二基材１８と第三基材１９からなる３層構成の連続帳票の第一の製造工程の例を以下に示した。
第一基材１７に絵柄（固有情報）を印刷する工程及び切取り部Ｓを形成する工程。
第二基材１８に絵柄（固有情報）を印刷する工程及び切取り部Ｓを形成する工程。
第三基材１９に絵柄（固有情報）を印刷する工程。
第二基材１８接着剤層１０−１として用紙搬送方向Ｐに沿って糊を第二印刷領域Ｐ２ならびに第三印刷領域Ｐ３に対応するそれぞれの領域にベタパターンで形成し、第三基材１９に接着剤層１０−２として用紙搬送方向Ｐに沿って糊を第三印刷領域Ｐ３に対応する領域にベタパターンで形成する工程。第一基材１７と第二基材１８を丁合する丁合工程。第二基材１８と第三基材１９を丁合する丁合工程。第一印刷領域Ｐ１、第二印刷領域Ｐ２、第三印刷領域Ｐ３に同時に固有情報を含む可変情報を印字する印字工程。
検査、梱包工程。
【００３０】
（実施例４）
図２に示した第一基材１７と第二基材１８と第三基材１９からなる３層構成の連続帳票の第一の製造工程の例を以下に示した。
第一基材１７に絵柄（固有情報）を印刷する工程及び切取り部Ｓを形成する工程。
第二基材１８に絵柄（固有情報）を印刷する工程及び切取り部Ｓを形成する工程。
第三基材１９に絵柄（固有情報）を印刷する工程。
第二基材１８に接着剤層１０−１として用紙搬送方向Ｐに沿って二本の線状糊を第二印刷領域Ｐ２ならびに第三印刷領域Ｐ３に対応するそれぞれの領域の両端にライングリュー方式で形成し、第三基材１９に接着剤層１０−２として用紙搬送方向Ｐに沿って二本の線状糊を第三印刷領域Ｐ３に対応する領域の両端にライングリュー方式で形成する工程。第一基材１７と第二基材１８を丁合する丁合工程。第二基材１８と第三基材１９を丁合する丁合工程。第一印刷領域Ｐ１、第二印刷領域Ｐ２、第三印刷領域Ｐ３に同時に固有情報を含む可変情報を印字する印字工程。
検査、梱包工程。
【００３１】
（変形例１）
図１に示した連続帳票の例において、第二印刷領域Ｐ２に印字する固有情報と第一印刷領域Ｐ１に印字する固有情報とは互いに関連付けられた情報として管理されていればよく、当該連続帳票に印字された文字や図柄が互いに異なった表示であってもよい。
（例１）
第二印刷領域Ｐ２にバーコードやＱＲコード（登録商標）によるコードパターンが表示され、第一印刷領域Ｐ１には前記コードパターンと紐付けられた個人名や住所の表示がされてもよい。
（例２）
第二印刷領域Ｐ２に社員番号が用紙搬送方向Ｐに沿って一列で表示され、第一印刷領域Ｐ１には前記社員番号に対応する社員の個人情報を表示してもよい。
図２においても同様であって、図２に示した第一印刷領域Ｐ１に印字する固有情報と第二印刷領域Ｐ２に印字する固有情報と第三印刷領域Ｐ３に印字する固有情報とは、互いに異なった表示であってもよい。
以上のように、接着剤層１０、１０−１、１０−２が形成された側の印刷領域である第二、第三印刷領域は帯状の長細い領域に適した情報を印字することが好ましい。
【００３２】
（変形例２）
図２では、３層構成を示しているが、第一基材上の第二、第三印刷領域（Ｐ２、Ｐ３）に対応する第二基材（１８）と第三基材（１９）との積層構成を何層にも増やしてもよい。
【００３３】
以上説明したように、本実施形態の帳票は、感圧複写式帳票の各枚目に対して付与される関連付け用の固有情報にミスマッチが生ずることがなく、かつ前記固有情報を付与するためにノンインパクトプリンターで印字しているため、感圧複写構造の一部が反応して不要な発色を呈する可能性が皆無であり、商品としての価値が向上するという効果がある。
【００３４】
（第２実施形態）
次に、本発明の第２実施形態について説明する。
以降の実施形態、図面では、説明と理解を容易にするために、ＸＹＺ直交座標系を設けた。この座標系は、図４の状態を基準に、左右方向Ｘ、縦方向Ｙ、厚さ方向Ｚを表す。また、構成を明確に図示するために、厚さ方向Ｚの構成を、誇張して図示した。
第１実施形態の帳票と、第２実施形態の帳票２０１とは、構造がほぼ同じである。このため、第２実施形態の下記説明は、第１実施形態の上記説明と、重複した部分を有する。
【００３５】
図４は、第２実施形態の帳票２０１を示す図である。
図４（Ａ）は、帳票２０１を上面から見た図である。図４（Ａ）は、複数の帳票２０１（単位帳票）が、切断線２０２（ミシン目等）を介して、縦方向Ｙ（搬送方向）に連続した連続帳票の一部を図示する。
図４（Ｂ）は、帳票２０１の断面図である。
図５は、第２実施形態の帳票２０１を分離した状態を示す断面図である。
本実施形態では、帳票２０１の一例として、被検者の検診に利用されるものを説明する。
【００３６】
帳票２０１は、トップ紙２１０（第一基材）、ミドル紙２２０（第二基材）、ボトム紙２３０（第三基材）の３種の基材を備える。
トップ紙２１０、ミドル紙２２０、ボトム紙２３０は、上側Ｚ２からこの順で積層されている。トップ紙２１０、ミドル紙２２０、ボトム紙２３０は、ノーカーボン紙を利用した複写帳票に利用されるものである。
トップ紙２１０の基材２１０ａの下面全面には、発色剤層２１０ｂが積層されている。
ミドル紙２２０の基材２２０ａの上面全面には、顕色剤層２２０ｃが積層されている。ミドル紙２２０の基材２２０ａの下面全面には、発色剤層２２０ｂが積層されている。
ボトム紙２３０の基材２３０ａの上面全面には、顕色剤層２３０ｃが積層されている。
【００３７】
トップ紙２１０、ミドル紙２２０、ボトム紙２３０には、以下の各片が切断線（ミシン目等）を介して、右側Ｘ２から左側Ｘ１に向けて連設されている。
・トップ紙２１０
トップ紙２１０には、マージナル片２１５、切断線Ｓ２１５、第一片２１１、第一切断線Ｓ２０１、第二片２１２、第二切断線Ｓ２０２、第三片２１３、切断線Ｓ２１６、マージナル片２１６が連設されている。
・ミドル紙２２０
ミドル紙２２０には、マージナル片２２５、切断線Ｓ２２５、第二片接着片２２２、第三切断線Ｓ２０３、第三片接着片２２３、切断線Ｓ２２６、マージナル片２２６が連設されている。
・ボトム紙２３０
ボトム紙２３０には、マージナル片２３５、切断線Ｓ２３５、接着片２３３、切断線Ｓ２３６、マージナル片２３６が連設されている。
【００３８】
各紙片について説明する。
トップ紙２１０の第一片２１１の上面には、使用時に、必要事項を印刷、記入するためのフォーム（文字、記号、線等）が印刷されている。
第二片２１２は、第一片２１１の左側Ｘ１に第一切断線Ｓ２０１で分離可能に接続されている。
第三片２１３は、第二片２１２の左側Ｘ１（第一片２１１とは反対側）に第二切断線Ｓ２０２で分離可能に接続されている。
【００３９】
第二片２１２、第三片２１３は、後述する第二印刷領域Ｐ２０２、第三印刷領域Ｐ２０３を確保できればよい。このため、第二片２１２、第三片２１３の外形は、それぞれ、縦方向に細長い長方形である。つまり、左右方向Ｘにおいて、第二片２１２、第三片２１３の大きさは、第一片２１１の大きさよりも、十分に小さい。
【００４０】
ミドル紙２２０の第二片接着片２２２には、第一片２１１と同様なフォーム（図８参照）が印刷されている。第二片接着片２２２の外形は、トップ紙２１０の第一片２１１及び第二片２１２を合わせた外形に等しく、これらの直下に配置されている。
つまり、ミドル紙２２０の第三切断線Ｓ２０３は、トップ紙２１０の第二切断線Ｓ２０２の直下に配置されている。
【００４１】
第三片接着片２２３は、第二片接着片２２２に対して第三切断線Ｓ２０３で分離可能に接続されている。第三片接着片２２３の外形は、トップ紙２１０の第三片２１３の外形に等しく、第三片２１３の直下（第三片２１３に対応した位置）に配置されている。
【００４２】
ボトム紙２３０の接着片２３３の上面には、第一片２１１と同様なフォーム（図８参照）が印刷されている。接着片２３３の外形は、トップ紙２１０の第一片２１１、第二片２１２及び第三片２１３を合わせた外形と等しく、かつ、ミドル紙２２０の第二片接着片２２２及び第三片接着片２２３を合わせた外形とに等しい。
【００４３】
上記構成により、トップ紙２１０の第一片２１１の下面の発色剤層２１０ｂと、ミドル紙２２０の第二片接着片２２２の上面の顕色剤層２２０ｃとは、直接接触することにより、感圧複写構造を構成する。また、第二片接着片２２２の下面の発色剤層２２０ｂと、接着片２３３の上面の顕色剤層２３０ｃとは、直接接触することにより、感圧複写構造を構成する。
これにより、トップ紙２１０の第一片２１１にドットインパクトプリンタで印刷されたり、ペン等で記入された内容は、第二片接着片２２２、接着片２３３に複写される。
【００４４】
（接着剤層）
帳票２０１は、第一接着剤層Ｂ２０１、第二接着剤層Ｂ２０２、第三接着剤層Ｂ２０３を備える。これらの接着剤層は、トップ紙２１０、ミドル紙２２０、ボトム紙２３０の層間を剥離不可能に強接着する。なお、実施形態では、各接着剤層は、２本の線状糊が縦方向Ｙに塗布された例を示すが、１本の太い帯状の糊でもよい。
第一接着剤層Ｂ２０１は、トップ紙２１０の第二片２１２及びミドル紙２２０の第二片接着片２２２の間を強接着する。
第二接着剤層Ｂ２０２は、トップ紙２１０の第三片２１３及びミドル紙２２０の第三片接着片２２３の間を強接着する。
第三接着剤層Ｂ２０３は、ミドル紙２２０の第三片接着片２２３及びボトム紙２３０の接着片２３３の間を強接着する。
【００４５】
（帳票２０１の分離）
図５に示すように、帳票２０１は、第一分離片２４１、第二分離片２４２、第三分離片２４３に分離することができる。
第一分離片２４１は、第一切断線Ｓ２０１を切断することにより、トップ紙２１０の第一片２１１を含む片が分離したものである。なお、マージナル片２１５は、分離して破棄してもよい。
【００４６】
第二分離片２４２は、第一切断線Ｓ２０１、第二切断線Ｓ２０２、第三切断線Ｓ２０３を切断することにより、トップ紙２１０の第二片２１２とミドル紙２２０の第二片接着片２２２とが、一体で分離したものである。第二分離片２４２は、第二片２１２及び第二片接着片２２２間は、第一接着剤層Ｂ２０１で強接着されているので、一体となって分離可能である。なお、マージナル片２２５は、分離して破棄してもよい。
【００４７】
第三分離片２４３は、第二切断線Ｓ２０２と第三切断線Ｓ２０３とを切断することによって、トップ紙２１０の第三片２１３とミドル紙２２０の第三片接着片２２３とボトム紙２３０の接着片２３３とが、一体で分離したものである。第三分離片２４３は、第三片２１３及び第三片接着片２２３が第二接着剤層Ｂ２０２で強接着され、かつ、第三片接着片２２３及び接着片２３３間が第三接着剤層Ｂ２０３によって強接着されているので、一体となって分離可能である。なお、マージナル片２３５，２１６，２２６，２３６は、分離して破棄してもよい。
【００４８】
（印刷領域Ｐ２０１〜Ｐ２０３）
図４に示すように、トップ紙２１０の上面は、３つの第一印刷領域Ｐ２０１、第二印刷領域Ｐ２０２、第三印刷領域Ｐ２０３を備える。なお、断面図には、便宜上、印刷領域Ｐ２０１〜Ｐ２０３を太線で示すが、これらの領域に何かの層が積層されているわけではない。
これら３つの印刷領域Ｐ２０１〜Ｐ２０３は、複写方式を用いずに直接印刷される印刷領域である。
３つの印刷領域Ｐ２０１〜Ｐ２０３には、対応付けられた情報として、帳票２０１を識別するための同じ帳票番号２５０（図６（Ａ）等参照）が印刷される。帳票番号２５０は、帳票２０１毎に異なる固有情報である。つまり、帳票番号２５０は、被検者を識別するための情報である。
【００４９】
帳票番号２５０の印刷は、番号の印字のみに限らず、番号を機械読み取り可能にコード化したもの（一次元コード、二次元コード等）や、これら２つ以上を並べたものを印刷することができる。また、印刷領域Ｐ２０１〜Ｐ２０３は、帳票番号２５０に加えて、又は単独でベタ印刷をしてもよい。この場合には、例えば、異なる病院毎にベタ印刷の色彩を定めておくことにより、ベタ印刷の色彩によって病院を識別することができる。
【００５０】
第一印刷領域Ｐ２０１は、第一片２１１の上面に設けられている。帳票２０１の分離後には、第一印刷領域Ｐ２０１は、第一分離片２４１に含まれる。
第二印刷領域Ｐ２０２は、第二片２１２の上面に設けられている。帳票２０１の分離後には、第二印刷領域Ｐ２０２は、第二分離片２４２に含まれる。
第三印刷領域Ｐ２０３は、第三片２１３の上面に設けられている。帳票２０１の分離後には、第三印刷領域Ｐ２０３は、第三分離片２４３に含まれる。
第二印刷領域Ｐ２０２、第三印刷領域Ｐ２０３には、これらの外形に合わせて、帳票番号２５０が縦方向に印刷される。
【００５１】
なお、第二印刷領域Ｐ２０２、第三印刷領域Ｐ２０３は、トップ紙２１０に対して、３つの切断線Ｓ２０１，Ｓ２０２，Ｓ２１６を加工することにより設けることができる。このため、孔開け加工等することなく、容易に設けることができる。
【００５２】
このように、帳票２０１の第一分離片２４１、第二分離片２４２、第三分離片２４３には、全て帳票番号２５０の印刷を含む。そのため、これらは、分離後にも帳票番号２５０によって、対応付けられた状態を維持される。
また、３つの印刷領域Ｐ２０１〜Ｐ２０３は、トップ紙２１０の上面に露出した状態であるので、例えば、インクジェットプリンタによる印刷等のような、ヘッドが帳票２０１に接触しない方法で印刷できる。これにより、帳票２０１は、第二片接着片２２２、接着片２３３にほとんど圧力がかかることがなく、これらに不用意に複写されることを抑制でき、帳票番号２５０を印刷された状態の外観を、高品質にすることができる。
【００５３】
（帳票２０１の製造方法）
帳票番号２５０が印刷される前の状態までの連続帳票の製造方法について、説明する。
なお、以下の工程の順序は、必要に応じて、変更してもよい。
・トップ紙２１０の前加工
（１）印刷工程
両端にマージナル片２１５，２１６を有するトップ紙２１０の上面に対して、第一片２１１のフォームを、連続帳票に対応して連続して印刷する。印刷は、インクジェットプリンタによる印刷、オフセット印刷等を用いる。
（２）切断線形成工程
トップ紙２１０に対して、第一切断線Ｓ２０１、第二切断線Ｓ２０２、切断線Ｓ２１５，Ｓ２１６を加工する。加工は、ミシン刃を用いる加工、レーザ加工等を用いる。
以上により、トップ紙２１０の前加工が終了する。
【００５４】
・ミドル紙２２０の前加工
（１）印刷工程
トップ紙２１０の前加工と同様に、両端にマージナル片２２５，２２６を有するミドル紙２２０の上面に対して、フォームを、連続帳票に対応して連続して印刷する。
（２）切断線形成工程
トップ紙２１０の前加工と同様に、ミドル紙２２０に対して、第三切断線Ｓ２０３、切断線Ｓ２２５，Ｓ２２６を形成する。
以上により、ミドル紙２２０の前加工が終了する。
【００５５】
・ボトム紙２３０の前加工
（１）印刷工程
トップ紙２１０の前加工と同様に、両端にマージナル片２３５，２３６を有するボトム紙２３０の上面に対して、フォームを、連続帳票に対応して連続して印刷する。
（２）切断線形成工程
トップ紙２１０の前加工と同様に、ボトム紙２３０に対して、切断線Ｓ２３５，Ｓ２３６を形成する。
以上により、トップ紙２１０の前加工が終了する。
【００５６】
以上前加工が終了した各紙片を、縦方向Ｙに送りながら、以下のように加工する。
（１）トップ紙２１０、ミドル紙２２０間の接着工程
トップ紙２１０の下面（又はミドル紙２２０の上面）に強接着剤を塗布することにより、第一接着剤層Ｂ２０１、第二接着剤層Ｂ２０２を形成しながら、トップ紙２１０及びミドル紙２２０間を接着する。これにより、トップ紙２１０、ミドル紙２２０が帳合されることにより、積層される。強接着剤は、縦方向Ｙに連続したトップ紙２１０又はミドル紙２２０に、線状に塗布することができる。
（２）ミドル紙２２０、ボトム紙２３０間の接着工程
ミドル紙２２０の下面（又はボトム紙２３０の上面）に強接着剤を塗布することにより、第三接着剤層Ｂ２０１を形成しながら、ミドル紙２２０及びボトム紙２３０間を接着する。これにより、ミドル紙２２０、ボトム紙２３０が帳合されることにより、積層される。強接着剤は、縦方向Ｙに連続したミドル紙２２０又はボトム紙２３０に、線状に塗布することができる。
（３）切断線形成工程
連続した帳票２０１間を分離するための切断線２０２（図４参照）を加工する。切断線２０２は、トップ紙２１０、ミドル紙２２０、ボトム紙２３０の全てに加工する。
【００５７】
以上により、帳票番号２５０が印刷されていない状態、かつ、帳票２０１が縦方向Ｙに連続した連続帳票を製造することができる。帳票２０１の製造者は、この状態の連続帳票を、在庫として保管しておく。
【００５８】
（使用方法）
図６から図８は、第２実施形態の帳票２０１の使用方法を説明する図である。
帳票２０１は、以下の順序で、製造者、センタ、病院、被検者の間で使用される。
なお、センタは、複数の病院で行わる検診を、管理する検診センタである。
（１）図６（Ａ）：製造者での処理
・印刷
センタからの発注に応じて、製造者は、保管していた連続帳票の３つの印刷領域Ｐ２０１〜Ｐ２０３に対して、同じ帳票番号２５０を印刷する。図６（Ａ）の例では、３つの印刷領域Ｐ２０１，Ｐ２０２，Ｐ２０３に、番号「０１２３」を印刷した。製造者は、発注枚数分の帳票２０１に帳票番号２５０を、ノンインパクトプリンタ（例えば、電子写真方式のプリンタ、インクジェットプリンタ等）で同時に印刷する。
・センタへの発送
製造者は、印刷した帳票２０１を、センタへ発送する。
【００５９】
このように、帳票２０１は、印刷領域Ｐ２０１〜Ｐ２０３への印刷後に直ちに出荷できるので、短納期で対応でき、かつ、前述したように、第二片接着片２２２へ圧力をかけずに印刷領域Ｐ２０１〜Ｐ２０３に印刷できるので、外観を高品質にできる。
また、帳票２０１は、３つの印刷領域Ｐ２０１〜Ｐ２０３に同じ工程で印刷するので、これらの帳票番号２５０のマッチングミスが生じない。
【００６０】
さらに、子写真方式のプリンタ等のノンインパクトプリンタを用いることにより、帳票２０１は、印刷色の選択の自由度を向上できる。このため、第二分離片２４２として分離する第二印刷領域Ｐ２０２と、第三分離片２４３として分離する第三印刷領域Ｐ２０３とに対しても、複写構造による色彩とは異なる色彩で印刷できる。
【００６１】
（２）図６（Ｂ）：センタでの処理
・印刷
センタの作業者は、帳票２０１を両端のマージナル片のマージナル孔で縦方向Ｙに送りながら、帳票２０１に必要事項を印刷する。
図６（Ｂ）には、第一片２１１に対して、文字２６１（病院名「Ａ病院」）、文字２６２（センタ連絡事項「貧血検査  可」）が印刷された例を示す。連続帳票は、病院から依頼を受けた枚数分を分離して印刷する。
印刷は、帳票２０１に圧力がかかる方法で行う。このため、第一片２１１の印刷内容は、複写構造の作用によって、第二片接着片２２２、接着片２３３に複写される。印刷は、例えば、ドットインパクトプリンタによる方法を用いる。
・病院への発送
センタの作業者は、印刷した帳票２０１を、被検者を実際に検診する病院であるＡ病院へ発送する。
【００６２】
（３）図７、図８：病院での処理
・名前等の記入
病院は、被検者に帳票２０１を手渡す。
被検者は、必要事項をボールペン等の筆記具で、帳票２０１に記入する。
図７には、第一片２１１に対して、被検者の名前２６３（名前「Ｂ」）を記入した例を示す。第一片２１１への記入内容は、複写構造の作用によって、第二片接着片２２２、接着片２３３に複写される。
なお、これら名前２６３等は、病院がドットインパクトプリンタによって印刷してもよい。
【００６３】
・第一分離片２４１の分離
図８に示すように、病院の作業者は、帳票２０１を、第一切断線Ｓ２０１で切断する（図５参照）。
これにより、帳票２０１は、第一分離片２４１の部分と、第二分離片２４２及び第三分離片２４３が一体になった部分との２つに分離する。
次に、病院の作業者は、第二分離片２４２及び第三分離片２４３が一体になった部分を、切断線Ｓ２０２，Ｓ２０３で切断する。これにより、帳票２０１は、第二分離片２４２、第三分離片２４３が分離する。
以上により、帳票２０１は、３つに分離される。
こられのうち、第一分離片２４１は、センタへ発送される。
第二分離片２４２は、控えとして、検者に渡される。
第三分離片２４３は、控えとして、病院に保管される。
【００６４】
・センタへの発送
病院の作業者は、検診が終了すると、第一分離片２４１、検体を収容した容器（図示せず）、をセンタに発送する。
【００６５】
（４）センタでの処理
・検体の解析
センタの作業者は、検体を解析する。
・検診結果の印刷
センタの作業者は、ＯＣＲ（光学文字認識）可能な読み取り装置を用いて、第一分離片２４１（図８参照）の第１片２１１の記入内容（第一印刷領域Ｐ２０１の帳票番号２５０、名前２６３等）を読み取る。コンピュータは、帳票番号２５０に基づいて、読み取った記入内容と、解析結果とを対応付けて記憶する。これにより、第一分離片２４１の記入内容と、解析結果とが、システム上で統合される。
そして、センタの作業者は、名前２６３、帳票番号２５０、解析結果等を、検査結果として検査結果帳票（図示せず）に、プリンタで印刷する。
・病院への発送
センタの作業者は、印刷した検査結果帳票を、被検者を検診した病院へ発送する。そして、病院から検査結果帳票が被検者に渡される。
以上により、一連の手順が終了する。
【００６６】
以上説明したように、本実施形態の帳票２０１は、短納期で対応でき、かつ、外観を高品質にできる。
また、帳票２０１は、３つの印刷領域Ｐ２０１〜Ｐ２０３に同じ工程で印刷するので、これらの帳票番号２５０のマッチングミスが生じない。
【００６７】
（第３実施形態）
次に、本発明の第３実施形態について説明する。
なお、以下の説明及び図面において、前述した第２実施形態と同様の機能を果たす部分には、同一の符号又は末尾（下２桁）に同一の符号を適宜付して、重複する説明を適宜省略する。
図９は、第３実施形態の帳票３０１の断面図である。
帳票３０１は、トップ紙３１０、ボトム紙３２０を備える。
帳票３０１は、第１実施形態の帳票から第三分離片を取り除いたような形態である。つまり、帳票３０１は、第一分離片２４１、第二分離片２４２が、第一切断線Ｓ２０１によって、分離可能に接続されたような形態である。
【００６８】
トップ紙３１０の発色剤層３１０ｂと、ボトム紙３２０の顕色剤層３２０ｃとは、複写構造を形成する。
このため、第一片２１１にドットインパクトプリンタ、ペン等で記入され内容は、第二片接着片２２２に複写される。
【００６９】
本実施形態の帳票３０１も、第２実施形態と同様な効果を奏する。すなわち、製造者は、保管していた連続帳票の第一印刷領域Ｐ２０１、第二印刷領域Ｐ２０２に対して帳票番号をインクジェットプリンタ等で印刷することにより、短納期で対応でき、かつ、外観を高品質にできる。また、帳票３０１は、これらの印刷領域Ｐ２０１，Ｐ２０２に同じ工程で印刷可能であるので、これらの帳票番号２５０のマッチングミスが生じない。
【００７０】
帳票３０１は、例えば、センタ自らが、被検者を検診する場合等に使用できる。
この場合には、センタの作業者は、帳票３０１に検診結果を印刷後（図７参照）、第一切断線Ｓ２０１を切断することにより、第一分離片２４１、第二分離片２４２を分離すればよい。そして、センタの作業者は、第一分離片２４１を控えとして保管して、第二分離片２４２を被検者に渡せばよい。
【００７１】
（第４実施形態）
次に、本発明の第４実施形態について説明する。
図１０は、第４実施形態の帳票４０１を上面から見た図である。
帳票４０１の積層構造の図示は、省略するが、第２実施形態と同様に、トップ紙４１０、ミドル紙、ボトム紙が積層されている。
帳票４０１の使用方法は、第２実施形態と同様である。
図１０は、帳票４０１の使用方法における病院での処理を示す図（図７に対応する図）である。
【００７２】
帳票４０１は、集団検診の血液検査をする場合に利用されるものであり、図１０に示すものは、３人の被検者Ｂ１〜Ｂ３に利用されるものである。
１つの帳票４０１は、縦方向Ｙに３人の被検者Ｂ１〜Ｂ３の欄４０１−１〜４０１−３が設けられている。
なお、集団検診の被検者の名前が予めわかっている場合には、病院（又はセンタ）は、ドットインパクトプリンタで、被検者の名前を印刷しておいてもよい。
【００７３】
欄４０１−１に対応した領域は、第一片４１１の第一印刷領域Ｐ４０１−１と、第二片４１２の第二印刷領域Ｐ４０２−１と、第三片４１３の第三印刷領域Ｐ４０３−１とを備える。
各印刷領域Ｐ４０１−１〜Ｐ４０３−１は、それぞれ帳票番号として「０００１」が印刷されている。
【００７４】
欄４０１−２，４０１−３も同様に、印刷領域Ｐ４０１−２〜Ｐ４０３−２、印刷領域Ｐ４０１−３〜Ｐ４０３−３を備え、帳票番号として「０００２」、「０００３」が印刷されている。
【００７５】
本実施形態では、１枚の帳票４０１に複数の欄４０１−１〜４０１−３を設けて、各欄に異なる帳票番号を印刷することにより、複数の被検者の検査に利用することができる。
【００７６】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００７７】
（変形形態）
（１）第２から第４実施形態において、帳票は、トップ紙、ボトム紙を備えるものである例を示したが、これに限定されない。帳票は、例えば、ノーカーボンタイプのセルフ紙を備えるもの、カーボンタイプのもの等でもよい。
【００７８】
（２）第２から第４実施形態において、帳票は、被検者の検診に用いられる例を示したが、これに限定されない。帳票は、裏面に粘着層を設ければ、配送物に貼付して、配送伝票に用いることができる。
この場合、第２実施形態の帳票は、第一分離片を分離して配送元（依頼人）の控えとして用い、配送後には、第二分離片を分離して配送者の控えとして用い、配送物に貼付した状態の第三分離片を配送先の控えとして用いることができる。
また、第３実施形態の帳票は、第一分離片を分離して配送元（依頼人）の控えとして用い、配送後には、配送物に貼付した状態の第二分離片を配送先の控えとして用いることができる。
配送者は、例えば、帳票番号を、荷受け時、配送時等にコンピュータに入力し、配送物の配送を管理することができる。
【符号の説明】
【００７９】
１０  接着剤層
１０−１  接着剤層
１０−２  接着剤層
１１  印字
１６  スプロケットホール
１７  第一基材
１８  第二基材
１９  第三基材
Ａ−Ａ線  断面線
Ｂ−Ｂ線  断面線
Ｐ    用紙搬送方向
Ｓ    切取り部
３０  印字
３２  感圧複写構造
３２−１  第一の感圧複写構造
３２−２  第二の感圧複写構造
３２ａ  発色剤
３２ｂ  顕色剤
【００８０】
２０１，３０１，４０１  帳票
２１０，３１０，４１０  トップ紙
２１１，４１１  第一片
２１２，４１２  第二片
２１３，４１３  第三片
２２０  ミドル紙
２２２  第二片接着片
２２３  第三片接着片
２３０，３２０  ボトム紙
２３３  接着片
２４１  第一分離片
２４２  第二分離片
２４３  第三分離片
２５０  帳票番号
Ｂ２０１  第一接着剤層
Ｂ２０２  第二接着剤層
Ｂ２０３  第三接着剤層
Ｐ１，Ｐ２０１，Ｐ４０１−１〜Ｐ４０１−３  第一印刷領域
Ｐ２，Ｐ２０２，Ｐ４０２−１〜Ｐ４０２−３  第二印刷領域
Ｐ３，Ｐ２０３，Ｐ４０３−１〜Ｐ４０３−３  第三印刷領域
Ｓ２０１，Ｓ４０１  第一切断線
Ｓ２０２，Ｓ４０２  第二切断線
Ｓ２０３，Ｓ４０３  第三切断線
【図１】
2015051625.tif 000003
【図２】
2015051625.tif 000004
【図３】
2015051625.tif 000005
【図４】
2015051625.tif 000006
【図５】
2015051625.tif 000007
【図６】
2015051625.tif 000008
【図７】
2015051625.tif 000009
【図８】
2015051625.tif 000010
【図９】
2015051625.tif 000011
【図１０】
2015051625.tif 000012